(57)【要約】【課題】より均一な照明を行うシステム及び方法が必要とされている。【解決手段】複数の（２０２）光源（２０８）を使用する照明を開示する。１実施形態において、所望のコントラストレベルを生じる照明レベルを設定する（３０２）。計算を行い（３１０）、複数の選択された位置を設定された照明レベルで照明することになる複数の（２０２）光源（２０８）のそれぞれについて電流値を導出する。【選択図】図３
2006126199.tif 000002
【特許請求の範囲】
【請求項１】
照明レベルを設定することと
前記複数の光源のそれぞれについて電流値を計算して、複数の選択された位置を前記設定した照明レベルで照明することと
を含む、複数の光源を使用する照明方法。
【請求項２】
前記照明レベルを設定することは、
所望のコントラストレベルを生じる照明レベルを設定すること
を含む請求項１に記載の複数の光源を使用する照明方法。
【請求項３】
前記照明レベルを設定することは、
所望の光強度レベルを生じる照明レベルを設定すること
を含む請求項１に記載の複数の光源を使用する照明方法。
【請求項４】
前記照明レベルを設定することは、
照明レベルを設定して、色光度を制御すること
を含む請求項１に記載の複数の光源を使用する照明方法。
【請求項５】
前記照明レベルを設定することは、
前記複数の光源を徐々に照明させることと、
該徐々に照明させる間にコントラストを監視することと
該コントラストが印刷媒体上の特徴を観察するのに十分である、照明レベルを設定することと
を含む請求項１に記載の複数の光源を使用する照明方法。
【請求項６】
前記複数の光源を徐々に照明させることは、
前記複数の光源のサブセットを用いて該徐々に照明させることを行うこと
を含む、請求項５に記載の複数の光源を使用する照明方法。
【請求項７】
前記電流値を計算することは、
連立方程式を生成することと、
前記連立方程式を前記変数について解き、前記複数の光源の各々の電流レベルを確立することとを含み、
前記連立方程式における各方程式は、照明レベルを積の和とみなし、該和における各積は、
前記複数の光源内の素子に供給される電流範囲にわたって光レベルを測定することによって導出される係数と
前記複数の光源内の前記素子に印加される電流レベルに対応する変数と
を含む、請求項１ないし６のいずれか１項に記載の複数の光源を使用する照明方法。
【請求項８】
前記電流値を計算することは、
連立方程式を生成することと、
前記連立方程式を前記変数について解き、前記複数の光源の各々の電流レベルを確立することとを含み、
各方程式は、
照明レベル＝ａ１*Ｑ１＋ｂ１*Ｑ２＋．．．
に従って生成される、請求項１ないし６のいずれか１項に記載の複数の光源を使用する照明方法。
【請求項９】
前記電流値を計算することは、
連立方程式を生成することと、
前記連立方程式を前記変数について解き、前記複数の光源の各々の電流レベルを確立することとを含み、
各方程式はセンサによって観測される１つの位置に関連し、
各方程式は前記照明レベルに等しく設定され、
各項の係数が、複数の入力電流における光源の動作から生じる測定された光レベルから導出され、
各項の変数が、前記光源における電流レベルに関連する、請求項１ないし６のいずれか１項に記載の複数の光源を使用する照明方法。
【請求項１０】
印刷媒体上に画定され、前記複数の光源により照明される特徴を認識することと、
該認識された特徴を用いて、前記印刷媒体をプリンタ内の用紙経路に沿って送ることと
をさらに含む請求項１ないし９のいずれか１項に記載の複数の光源を使用する照明方法。
【請求項１１】
複数の光源と、
該複数の光源から放たれる照明を検知するように構成されるセンサと、
所望のコントラストレベルを生じる照明レベルを設定すること、前記複数の光源のそれぞれについて電流値を計算して、複数の選択された位置を前記照明レベルで照明することを行うように構成されるコントローラと
を備える照明システム。
【請求項１２】
前記複数の光源は、
複数のグループ化された光源と、
該複数のグループ化された光源のそれぞれの内部にある複数のＬＥＤと
を備える請求項１１に記載の照明システム。
【請求項１３】
前記センサは、印刷装置が印刷媒体を定期的に送る際の画素数よりも画素数の多い該印刷媒体上の画素領域を監視するように構成される請求項１１又は１２に記載の照明システム。
【請求項１４】
前記センサは、異なる照明レベルに関連する異なるコントラストレベルを区別するのに十分に大きな画素領域を監視するように構成される請求項１１又は１２に記載の照明システム。
【請求項１５】
前記照明レベルを設定することは、
前記複数の光源を徐々に照明させることと、
該光源を徐々に照明させる間にコントラストを時折監視することと、
該コントラストが印刷媒体上の特徴を観察するのに十分である、照明レベルを設定することと
を含む請求項１１ないし１４のいずれか１項に記載の照明システム。
【請求項１６】
前記電流値を計算することは、
連立方程式を生成することと、
前記連立方程式を前記変数について解き、前記複数の光源の各々の電流レベルを確立することと
を含み、該連立方程式における各方程式は、照明レベルを積の和とみなし、該和における各積は、
前記複数の光源内の素子に供給される電流範囲にわたって光レベルを測定することによって導出される係数と、
前記複数の光源内の前記素子に印加される電流レベルに対応する変数と
を含む、請求項１１ないし１５のいずれか１項に記載の照明システム。
【請求項１７】
前記電流値を計算することは、
連立方程式を生成することと、
前記連立方程式を前記変数について解き、前記複数の光源の各々の電流レベルを確立することと
を含み、各方程式は、
照明レベル＝ａ１*Ｑ１＋ｂ１*Ｑ２＋．．．
の形式である、請求項１１ないし１５のいずれか１項に記載の照明システム。
【請求項１８】
前記電流値を計算することは、
連立方程式を生成することと、
前記連立方程式を前記変数について解き、前記複数の光源の各々の電流レベルを確立することとを含み、
各方程式は前記センサによって観測される１つの位置に関連し、
各方程式は前記照明レベルに等しく設定され、
係数が、前記複数の光源内の素子に供給される電流範囲にわたって光レベルを測定することによって導出され、
変数が、前記複数の光源内の前記素子に印加される電流レベルに対応する、請求項１１ないし１５のいずれか１項に記載の照明システム。
【請求項１９】
印刷媒体上に画定され、前記複数の光源により照明される特徴を認識する特徴認識モジュールと、
該認識された特徴を用いて、前記印刷媒体をプリンタ内の用紙経路に沿って送る印刷媒体送り機構と
をさらに備える請求項１１ないし１８のいずれか１項に記載の照明システム。
【請求項２０】
請求項１ないし１０のいずれか１項に記載のシステム及び方法を実施するようになっている命令を含む、印刷媒体を照明するためのプロセッサにより実行可能な命令を備えるプロセッサ読み取り可能な媒体。
【請求項２１】
所望のコントラストレベルを生じる照明レベルを設定する手段と、
複数の光源のそれぞれについて電流値を計算して、複数の選択された位置を前記照明レベルで照明する手段と
を備える照明システム。
【請求項２２】
請求項１１ないし１９又は請求項２１のいずれか１項に記載の照明システムを内蔵するように構成されるプリンタ。
【発明の詳細な説明】
【技術分野】
【０００１】
本発明は、複数の光源を使用する照明に関する。
【背景技術】
【０００２】
印刷ジョブの実行中に、プリンタは、印刷媒体（例えば用紙）を用紙経路に沿って定期的又は連続的に送る。こうした送りは正確に行われなければならない。送りが不正確であると、印刷品質が低下することになる。
【０００３】
用途によっては、印刷媒体を送る１つのステップは、印刷媒体上に画定される特徴（例えば、印刷媒体の表面を形成する特定の繊維）を認識することを伴う。特定の繊維は、一旦認識されると、目印として用いられて、印刷媒体を極めて正確に送ることを可能にすることができる。
【０００４】
しかし、印刷媒体に対する照明があまり均一でない場合、印刷媒体上に画定される特徴の認識に基づく印刷媒体送りは損なわれる。例えば、印刷媒体上に画定される特徴は、第１の照明条件下で認識される場合がある。その後、印刷媒体は、認識される特徴が照明特性の異なる領域に配置される程度まで送られる場合がある。異なる照明特性下では、特徴認識モジュール又は特徴認識アルゴリズムは、認識される特徴を特定できない場合がある。これにより、印刷媒体送りに対する制御の精度が低下する場合がある。
【０００５】
より均一な照明を提供するために、２つ以上の光源を用いる複合照明システムが開発されている。しかし、そのような照明システムは、プリンタ内の用紙経路に沿った印刷媒体送りをより良好に制御するのに望ましい均一さを提供していない。
【発明の開示】
【発明が解決しようとする課題】
【０００６】
したがって、より均一な照明を行うシステム及び方法が必要とされている。
【課題を解決するための手段】
【０００７】
複数の光源を使用する照明を開示する。１実施形態において、所望のコントラストレベルを生じる照明レベルを設定する。計算を行い、複数の選択された位置を設定された照明レベルで照明することになる複数の光源のそれぞれについて電流値を導出する。
【０００８】
以下の説明は添付図面を参照する。図中、参照符号の一番左の数字（複数可）は、その参照符号が最初に現れる図を特定する。さらに、同様の特徴及び構成要素を参照するために、図面の全体を通して同一の参照符号を用いる。
【発明を実施するための最良の形態】
【０００９】
複数の光源を使用する照明システムは、様々な環境、例えばプリンタ又は他のハードコピー出力装置を含む例示的な環境における動作のために構成することができる。プリンタ環境では、プリンタを通って画定される用紙経路の部分を移動する印刷媒体を照明システムにより照明する。印刷媒体の照明は、印刷媒体上に画定される特徴（例えば紙繊維）の首尾よい認識を促す。このような特徴は、認識されると、極めて正確な印刷媒体送りを行う際の目印として用いられることができる。１実施形態において、照明レベルは、所望のコントラストレベル（例えば特徴の認識を促すコントラストレベル）を生じるレベルに設定される。選択された照明レベルの設定を用いて計算を行い、複数の選択された位置を所望のレベルで照明することになる複数の光源のそれぞれについて電流値を導出する。複数の光源を使用する照明システムの一例を以下で述べる。
【００１０】
図１は、印刷媒体照明システム１０２が内部に構成されるプリンタ１００の一例を示すブロック図である。照明システム１０２は、用紙経路１０４の部分を照明する。センサ１０６が、用紙経路１０４を移動する印刷媒体１０８から受けた光を検知するように構成される。特徴認識モジュール１１０が、センサ１０６から得られた画像を解析し、それによって印刷媒体１０８上にある繊維又は他の凹凸のような特徴を認識するように構成される。このような認識される特徴の位置は、印刷媒体送りモジュール１１２により入力として使用される。このような入力は、印刷媒体を用紙経路１０４において所望の精度で移動させる上で有用である。
【００１１】
通常の実施形態において、プリンタ１００は、印刷媒体（例えば枚葉紙、ロール紙、封筒等）を横断するプリントヘッドの定期的な移動と一致するストップ・アンド・ゴー方式（stop-and-go fashion）で徐々に印刷媒体を送るインクジェットプリンタとすることができる。代替的な実施形態において、プリンタは、媒体を滑らかに、且つ均一に送るように構成されたレーザプリンタであってもよい。
【００１２】
図１の例において、照明システム１０２は、光源１１４及びコントローラ１１６を備える。照明システム１０２は、適切なコントラストレベルを導出し、その後、このコントラストレベルを生じる照明レベルを用いて、複合光源１１４に含まれる各光源に印加する電圧を導出するように構成される。選択される電圧は、いくつかの対象領域間で照明強度に所望の均一レベルを生じるべきである。
【００１３】
光源１１４は、ＬＥＤ、白熱装置、蛍光装置等といった技術のいずれに基づいてもよい。しかし、ＬＥＤが好ましく、ほとんどの用途で優れた結果をもたらす。図２には、光源１１４の実装の一例を示す。この例において、光源１１４は、印刷媒体１０８を覗くことができる穴２０６の周囲に位置する４つのＬＥＤグループ２０２を含む。特徴２０４（この場合は細部を示すために拡大した紙繊維）が、センサ１０６（図１）及び特徴認識モジュール１１０により検出することのできる特徴を表す。図２の例において、各ＬＥＤグループ２０２は、４つの個々のＬＥＤ２０８を含む。１つのグループ２０２内の個々のＬＥＤ２０８は通常、単一の駆動回路（図示せず）により供給される電力を受け取るが、個々のＬＥＤ２０８に別個の電流供給源を設けてもよい。
【００１４】
センサ１０６（図１には示されるが、印刷媒体１０８をより明確にするために図２の視界からは取り除かれている）は、印刷媒体から反射されるか、又は他の方法で印刷媒体から受光する光源１１４からの光を受けるように配置される。センサ１０６は、部分的には、印刷媒体が定期的に送られる量よりも大きなサイズの領域を監視する能力が得られるように選択されるべきである。したがって、センサによって監視される、領域内で特定される特徴は、印刷媒体を送る前に領域内の第１の位置で、送り後に領域内の第２の位置で観測可能であってもよい。結果として、送り度合いをより正確に制御することができる。さらに、センサ１０６は、部分的には、監視領域内の個々の画素を画定及び監視する能力が得られるように選択されるべきである。一例において、センサは、例えば０〜２５５の範囲内の値を割り当て、６４画素×６４画素の領域内で、画素毎に検知されるグレー値を表すことができる。
【００１５】
コントローラ１１６は、ソフトウェア、ファームウェア、ハードウェア又はハイブリッドモジュール若しくは装置として構成してもよい。例えば、コントローラ１１６は、マイクロコントローラにより実行されるソフトウェア手順として、又は特定用途向け集積回路（ＡＳＩＣ）として構成されてもよい。さらに、コントローラは、印刷媒体送りモジュール１１２等のモジュールを含んでも、その一部であっても、その内部に含まれてもよい。コントローラ１１６は、センサ１０６からの出力信号の監視、及び光源１１４の制御といった様々な機能を行うように構成される。コントローラ１１６の１実施形態において、その機能を図３により説明する。
【００１６】
図３は、複数の光源を使用することによって印刷媒体を照明する例示的な方法３００を説明するフロー図である。方法３００は、コントローラ１１６又は別の装置により、ハードウェア、ソフトウェア又はファームウェアに基づいて実施してもよい。ブロック３０２において、所望のコントラストレベルを生じる照明レベルを設定する。印刷システム１００が実施される図１の例では、コントラストレベルは、印刷媒体１０８から反射されるか、又は他の方法で印刷媒体１０８から受光する光から得られるセンサ１０６からのデータに基づく。所望のコントラストレベルを生じる照明レベルを設定することは、いくつかのやり方で行うことができ、そのうちの１つをここに例示のために記載する。ブロック３０４において、光源１１４（図１）を徐々に明るくし、それによって、印刷媒体１０８を徐々に照明する（progressively illuminate）。１実装では、光源１１４の全てのＬＥＤグループ２０２（図２）を用いて照明レベルの推移を提供する。任意選択的に、光源１１４内のＬＥＤグループ２０２及び／又は個々のＬＥＤ２０８のサブセット（例えば半分）のみを用いながら、印刷媒体１０８に対する推移する照明を繰り返してもよい。媒体によっては、例えば片側のＬＥＤのみを照明に用いた場合に、より高いコントラストを生じるものもある。したがって、より多い及び少ない数の利用可能なＬＥＤを用いた付加的なコントラストチェックにより、好ましい照明戦略が示される場合がある。照明の推移は、通常は階段関数による、光源１１４内の各素子に供給される電流の漸進的増加（又は減少）によって行うことができる。ブロック３０６において、センサ１０６により検出される画像のコントラストを、推移中のコントラストについて監視する。
【００１７】
図４及び図５を参照して、センサ１０６により検出される画像のコントラストをコントラストについて監視することができる方法を理解することができる。図４は、印刷媒体１０８の一部を低い照明レベルで観察（view）した後にセンサ１０６（図１）から得られるグラフ情報４００を示す。横軸４０２は、０（黒）〜２５５（白）の数値で表されるグレースケール値に関連する。縦軸４０４は、低い照明レベル下でセンサ１０６から得られる、そのグレーレベルを有する画像中の画素数を示す。したがって、センサにより取得される、２５６のグレーレベルのそれぞれを有する画像中の画素数をグラフに示すことによって、あらゆる画像をグラフで表現することができる。明らかに、異なる数のグレーレベルを検知するように構成されるセンサでは、いくらか異なるグラフが得られる。図４を参照すると、低い照明レベルでは、ほとんどの画素が０（黒）から５０（暗いグレー）までの略同一の暗いグレー値を有することが分かる。したがって、この画像は、表現する情報が少なく、且つコントラストが低い。
【００１８】
対照的に、図５は、高い照明レベル下で取得されたセンサ画像から得られるグラフ情報５００を示す。この場合、画像中の画素は大きな範囲に広がり、任意の特定の値を有する画素は少なく、多くの画素が隣接画素と区別される。したがって、図５のグラフに関連する画像は、図４のグラフに関連する画像よりも多くの情報を有し、且つコントラストが高い。
【００１９】
図３に戻ると、ブロック３０８は、コントラストが印刷媒体１０８（図１及び図２）上の特徴２０６（図２）を観察できるのに十分であるレベルに照明レベルを設定することができることを示す。特に、（図４に示すような）低いコントラストを生じる低い照明レベルではなく、（図５に示すような）高コントラストレベルに関連する高い照明レベルが選択される。
【００２０】
なお、ブロック３０２は１実装を開示するが、他の実施形態を実施することもできる。例えば、ブロック３０２は代替的に、所望の光強度を生じるか、又は所望の色光度(color light intensity)を生じる照明レベルを設定してもよい。
【００２１】
ブロック３１０において、複数の光源１１４（図１）のそれぞれについて電流値を計算する。これは、いくつかのやり方で行うことができるが、ここに例示のために、そのうちの１つをブロック３１２〜３１４で記載する。
【００２２】
ブロック３１２において、連立方程式を生成する。通常、この連立方程式は、６つ〜８つの方程式を含み得るが、この数は柔軟であり、用途に応じて容易に適応させることができる。一般に、方程式の数は、光源の数及び他の要因に影響され得る。連立方程式の一例を以下に示す。
【数１】
2006126199.tif 000003
等。
【００２３】
各方程式は、１番目の方程式の考察により理解することができる。１番目の方程式において、ＳＵＭ＿１は、第１の位置における照明レベルを表す。照明レベルは、光源１１４（図１）を構成する複数のＬＥＤグループ２０２又は個々のＬＥＤ２０８からの照明の和である。したがって、各方程式は積の和であり、各積は、複数の光源内からの個々の光源に関連する。第１の位置（１番目の方程式に関連する）は、印刷媒体１０８（図１）上にある特定の画素であってよく、この特定の画素をセンサ１０６（図１）により調べることによって得られるファイル位置に含まれるデータによって表されてもよい。
【００２４】
ａ１、ｂ１、ｃ１、ｄ１、ａ２、ｂ２、ｃ２、ｄ２、ａ３、ｂ３、ｃ３、ｄ３等の係数は、複数の電流レベルが関連する光源に印加される期間中の測定により求められる数値である。例えば、電流値の階段関数を、電流変数Ｑ１及び係数ａ１に関連する第１の光源（例えば複合光源１１４内の素子２０２又は２０８）に適用することができる。各電流レベルに関連するグレーレベル（例えば０〜２５５の値）を、ＳＵＭ＿１に関連する位置において測定することができる。次に、これらの値を合計するか、平均するか、又は他の方法で操作して係数ａ１を生成することができる。通常、係数の正確な値は重要ではなく、重要なのはむしろ、それらの相対的なサイズである。したがって、方程式に関連する位置に関連する測定値と、係数項に関連する光源とに基づいて各係数を同様に導出することによって、適切な係数を導出することになる。したがって、係数ｂ１は、変数Ｑ２に関連する第２の光源を流れる電流値を階段状に変化させる（step）ことによって求めることができ、測定値は、ＳＵＭ＿１に関連する位置（例えばセンサ画像中の画素）で取る。同様に、係数ｄ３は、係数ａ１と同様に求めることができるが、測定値は、電流変数Ｑ４に関連する光源４を流れる電流を階段状に変化させながらＳＵＭ＿３に関連する位置で取る。
【００２５】
なお、センサ１０６によって取得される画像中の位置は通常、画像中に或る程度均一に分散しており、６つ又は８つの位置が典型的であり得るが、より多い又は少ない数の位置（ひいては方程式）を選択してもよい。
【００２６】
方程式を解く前に、ＳＵＭ＿１、ＳＵＭ＿２及びＳＵＭ＿３等の値を、所望のコントラストを生じた値に設定する（ブロック３０２を参照）。例えば、センサ１０６が０〜２５５のスケールでグレーを測定する場合、所望のコントラストは（図５に示すように）２００周辺であり得る。したがって、ＳＵＭ＿１、ＳＵＭ＿２及びＳＵＭ＿３等の値を２００に設定することができる。
【００２７】
ブロック３１４において、連立方程式を解く。なお、方程式と未知数の数は等しくなくてもよい。したがって、方程式は制約過多であっても制約不足であってもよい。すなわち、変数（Ｑ）よりも多い又は少ない数の方程式があってもよい。しかし、一般には、光源（すなわちＱ）の数よりも位置の数（すなわち方程式の数、なぜなら各ＳＵＭ＿ｘが１つの位置に関連するため）のほうが少ないことが最も良い。これにより、方程式に対する解における柔軟性がより高くなる、すなわち、Ｑの１つ又は複数の値を任意に設定し、他の値を導出することができる。例えば、ほとんどの用途において、電流のうちの１つを強制的に最大コントラストレベルにした場合に、解はより安定する。
【００２８】
ブロック３１６において、印刷媒体１０８（図１及び図２）上に画定され、光源１１４により照明される特徴２０４（図２）を認識する。特徴は通常、印刷媒体の用紙を形成する繊維である。特徴２０４の認識により、印刷媒体上に「目印」が提供され、印刷媒体を正確な量だけ送るのに役立つ。したがって、ブロック３１８では、認識された特徴（複数可）を用いて、印刷媒体をプリンタ内の用紙経路に沿って送る。なお、ブロック３１６及び３１８はより頻繁に繰り返してもよく、それ以前のブロックは、媒体の装填時又は媒体の変更時にのみ繰り返してもよい。
【００２９】
概して、図３のプロセス３００は、新たな印刷媒体を使用する度に行われる。例えば、異なる印刷媒体をプリンタ内の異なるトレイに配置し、頻繁に印刷媒体の変更を行う場合、照明レベルをリセット（例えばブロック３０２）し、電流レベルを再計算（例えばブロック３１０）することが望ましい。さらに、このような計算は、ＬＥＤの交換又は経年変化のために時折行われるべきである。しかし、これらの事象が起こる頻度は通常、印刷媒体の変更よりもずっと少ない。
【００３０】
上記の開示は、構造的特徴及び／又は方法ステップに特有の文言で記載してきたが、添付の特許請求の範囲は、記載した特定の特徴又はステップに制限されないことが理解されるべきである。むしろ、特定の特徴及びステップは、本開示を実施することのできる例示的な形態である。例えば、フロー図のブロックに記載されるアクションを他のブロックに記載されるアクションと並行して行っても、アクションを別の順序で行っても、アクションを２つ以上の他のブロックと関連付けるようなやり方で分散させてもよい。さらに、開示した方法の要素は、任意の所望のやり方で行われることが意図される一方、コンピュータ及び／又はプロセッサによって実行され、通常はプリンタ内に配置され、コンピュータ又はプロセッサ読み取り可能な媒体（ＲＯＭ、ディスク又はＣＤ  ＲＯＭ等）から読み出されるコンピュータ又はプロセッサにより実行可能な命令が好ましいが、特定用途向けゲートアレイ（ＡＳＩＣ）又は同様のハードウェア構成で置き換えてもよい。
【図面の簡単な説明】
【００３１】
【図１】本実施形態では印刷媒体照明システムに適用される、複数の光源を使用する照明の一例を示すブロック図である。
【図２】図１の印刷媒体照明システムの複数の照明源を配置することができる方法の一例を示す図である。
【図３】複数の光源を使用して印刷媒体を照明する例示的な方法を説明するフロー図である。
【図４】図５と比較して、低い照明レベルが小さなコントラストレベル（すなわち画素間の小さな相違、例えばほとんどの画素が暗いグレーである）を生じることを示す図である。
【図５】図４と比較して、高い照明レベルが大きなコントラストレベル（すなわち画素間の大きな相違、例えば多くの明るいグレーの画素が暗い画素に混じる）を生じることを示す図である。
【符号の説明】
【００３２】
１００  プリンタ
１０２  照明システム
１０４  用紙経路
１０６  センサ
１０８  印刷媒体
１１０  特徴認識モジュール
１１２  印刷媒体送りモジュール
１１４  光源
１１６  コントローラ
２０２  ＬＥＤグループ
２０４  特徴
２０６  穴
２０８  ＬＥＤ
【図１】
2006126199.tif 000004
【図２】
2006126199.tif 000005
【図３】
2006126199.tif 000006
【図４】
2006126199.tif 000007
【図５】
2006126199.tif 000008